(57)【特許請求の範囲】
【請求項１】
円盤状の中央円盤部材と、
前記中央円盤部材の外周の一部又は全周に囲設されたリング状の円環部材と、
を備え、
指針によって前記中央円盤部材または前記円環部材に記載された目盛または文字が指示されるメータ装置であって、
全体として略Ｃ字形状又はリング形状を有すると共に前記中央円盤部材及び前記円環部材の裏側に設置される導光部材であって、周方向及び径方向に延在する中間部と、前記中間部における径方向内側端部の周方向全域から裏側に延出する基部と、前記中間部における径方向外側端部の周方向全域から表側に延出する出光部と、を有する導光部材を有し、
前記中間部の表側の表面には、表側に突出する中間漏光部が周方向に等間隔に放射状に複数設けられ、
前記中央円盤部材には、前記指針が指示する目盛に対応する位置に細孔が周方向に等間隔に放射状に複数形成され、
前記各中間漏光部は、対応する前記細孔を貫通して前記中央円盤部材の表側の表面から表側に突出しており、
前記出光部の表側の端面が、前記円環部材の裏側の表面と対向配置され、
前記基部の受光部に対向配置された光源が出射する照明光が、前記導光部材の前記受光部に入射して該導光部材の内部に案内され、このうちの少なくとも一部が前記中間漏光部から前記中央円盤部材に向けて出射するとともに、残りの一部が前記導光部材の内部を案内されて前記出光部の表側の端面から前記円環部材の裏側の表面に向けて出射する
ことを特徴とするメータ装置の照明構造。
【請求項２】
前記出光部の表側の端面が、複数の前記中間漏光部の表側の端部に対して表側に位置している
ことを特徴とする請求項１に記載のメータ装置の照明構造。
【請求項３】
前記導光部材の前記中央円盤部材及び前記円環部材に臨む側とは反対側に設けられた、表面が前記基部、前記出光部及び前記中間部に対向する反射部材をさらに備える、
ことを特徴とする請求項１又は２に記載のメータ装置の照明構造。
【請求項４】
前記反射部材には、該反射部材の表面から前導光部材に向かって起立するリブが設けられている
ことを特徴とする請求項３に記載のメータ装置の照明構造。
【発明の詳細な説明】
【技術分野】
【０００１】
本発明は、車両、航空機、船舶等に搭載されるメータ装置に関するものである。
【背景技術】
【０００２】
従来の照明装置として、例えばＬＥＤの光源からの光を用いて、数字、目盛、意匠部分などを照明するような構成のものが開発されている。この種の照明装置として、特許文献１や特許文献２に記載のものが知られている。
【０００３】
特許文献１には、図１１に示すように、リング部材１１０が文字盤１２０の外周を囲むリング状に設けられるとともに、照明用ランプ１５０がリング部材１１０の裏面１１１側に配設され、かつ、オレンジ色層１４０が照明用ランプ１５０の光を導入してリング部材１１０にオレンジ色光を出射するように構成された照明装置１００が記載されている。そして、リング部材１１０の導光性部材１１２の表面１１３からオレンジ色光が出射され、照明用ランプ１５０の消灯時にはリング部材１１０の導光性部材１１２の表面１１３を通してその内側側面１１４を経てシルバー塗料層１１５が視認される。これにより、リング部材１１０でもって斬新な見栄えを提供し得る。
【０００４】
また、特許文献２には、図１２に示すように、指針２１０と、この指針２１０の指示対象となる指標部２２１を有する表示板２２０とを備えた照明装置２００が記載されている。表示板２２０には目盛部２３０に対応する開口部が形成され、表示板２２０の背後には表示部材２４０が配置され、この表示部材２４０には開口部から表示板２２０上に突出して目盛部２３０の一部を形成する隆起部２３１が形成されている。これにより、表示板２２０上に突出する立体構造物からなる隆起部２３１が表示板２２０の目盛部２３０に対応した突出目盛として視認される。
【０００５】
このように、上述のメータ装置では、特許文献１のものには、目盛を設けた文字盤１２０に導光構造を用いており、特許文献２のものには、メータの表示部材２４０の外周部に照明演出を施している。
【０００６】
ところが、このような構成のメータ装置の照明構造にあっては、通常、複数個の光源それぞれからの光が、各光源にそれぞれ対応した部分に照明を施す構造であるので、照明効率が悪い。また、組み付け作業も厄介であり、コストの増大をももたらしている。
【０００７】
また、例えば特許文献３に記載のメータ装置３００の照明構造なども知られている。このメータ装置３００の照明構造では、図１３に示すように、円盤状又は半円盤状の文字板３１０を周回するようなリング状をしたリング部材３２０が、外側に向かうにしたがって徐々に下降していくように傾斜した傾斜面３２１を有する。また、このメータ装置３００には、リング部材３２０に向けて出射する光源３３０及び光ガイド部材３４０が設置されている。
【０００８】
光源３３０からは、リング部材３２０を周回するようなリング状を呈している光ガイド部材３４０を介して、外側から傾斜面３２１に向かう光を出射する。このため、外側に向かうにしたがって徐々に下降していくように傾斜した傾斜面３２１が照明されると、光源３３０と傾斜面３２１の各部位との距離差に起因して、グラデーションが発生する。これにより、深みのある立体感を表現でき、表現の自由度の高い計器を提供できる。
【先行技術文献】
【特許文献】
【０００９】
【特許文献１】特開２００５−７７１８５号公報
【特許文献２】特開２０１０−４８７４３号公報
【特許文献３】特開２００７−８５９８４号公報
【発明の概要】
【発明が解決しようとする課題】
【００１０】
しかしながら、特許文献３に記載のメータ装置３００の照明構造にあっては、数字などが記載された中央部側の略円盤状の文字板３１０と、外周側のリング部材３２０と、には、それぞれ異なる別々の光源３５０、３６０からの光が照明されることが必要であった。このように、メータ装置３００では、それぞれ複数配置された光源が３種類必要であって照明効率が悪いため、効果的な照明構造で、しかも輝度むらのないものの開発が求められている。
【００１１】
本発明は、上述した事情に鑑みてなされたものであり、その目的は、中央部側の部分と、これを囲設する部分との双方に対して、同時に同じ光源からの光を照明することができ、しかも輝度むらの発生を抑えることができる、メータ装置の照明構造を提供することにある。
【課題を解決するための手段】
【００１２】
前述した目的を達成するために、本発明に係るメータ装置の照明構造は、下記（１）から（４）を特徴としている。
（１）  円盤状の中央円盤部材と、
前記中央円盤部材の外周の一部又は全周に囲設されたリング状の円環部材と、
を備え、
指針によって前記中央円盤部材または前記円環部材に記載された目盛または文字が指示されるメータ装置であって、
全体として略Ｃ字形状又はリング形状を有すると共に前記中央円盤部材及び前記円環部材の裏側に設置される導光部材であって、周方向及び径方向に延在する中間部と、前記中間部における径方向内側端部の周方向全域から裏側に延出する基部と、前記中間部における径方向外側端部の周方向全域から表側に延出する出光部と、を有する導光部材を有し、
前記中間部の表側の表面には、表側に突出する中間漏光部が周方向に等間隔に放射状に複数設けられ、
前記中央円盤部材には、前記指針が指示する目盛に対応する位置に細孔が周方向に等間隔に放射状に複数形成され、
前記各中間漏光部は、対応する前記細孔を貫通して前記中央円盤部材の表側の表面から表側に突出しており、
前記出光部の表側の端面が、前記円環部材の裏側の表面と対向配置され、
前記基部の受光部に対向配置された光源が出射する照明光が、前記導光部材の前記受光部に入射して該導光部材の内部に案内され、このうちの少なくとも一部が前記中間漏光部から前記中央円盤部材に向けて出射するとともに、残りの一部が前記導光部材の内部を案内されて前記出光部の表側の端面から前記円環部材の裏側の表面に向けて出射する
ことを特徴とするメータ装置の照明構造。
（２）  前記出光部の表側の端面が、複数の前記中間漏光部の表側の端部に対して表側に位置している
ことを特徴とする上記（１）に記載のメータ装置の照明構造。
（３）  前記導光部材の前記中央円盤部材及び前記円環部材に臨む側とは反対側に設けられた、表面が前記基部、前記リング状出光部及び前記中間漏光部に対向する反射部材をさらに備える、
ことを特徴とする上記（１）又は（２）に記載のメータ装置の照明構造。
（４）  前記反射部材には、該反射部材の表面から前記導光部材に向かって起立するリブが設けられている
ことを特徴とする上記（３）に記載のメータ装置の照明構造。
【００１３】
上記（１）に記載のメータ装置の照明構造によれば、中央円盤部材と円環部材との間に、導光性を有し、かつ、表面側の中間部に中間漏光部を等間隔に放射状に有する導光部材を備えている。これにより、導光部材の基部の受光部の端面に対向配置した光源から出射する照明光が、受光部から導光部材に入射して内部を案内されるが、このうちの少なくとも一部を導光途中の中間漏光部から中央円盤部材に向けて出射させることが可能になる。また、残りの照明光は、導光部材の内部を案内されて表面側の先端面に沿って設けられた出光部から出射後に円環部材の裏面側に入射して、円環部材内部を透過することが可能である。従って、中央部側の中央円盤部材と、これを囲設する円環部材との双方の部材に対して、同じ光源からの光で同時に照明することができるので、照明効率を高めることができる。しかも、中間漏光部を等間隔に放射状に設置しているので、輝度むらの発生を抑えることもできる。
加えて、導光部材の中間漏光部が細幅形状を有し表面から突出した放射状出光部を構成するとともに、中央円盤部材は、放射状出光部に対応する部位が細孔を有し、かつ、放射状出光部が細孔に嵌挿されているので、放射状出光部自体が立体発光性の目盛を構成する。これにより、高輝度の目盛を有する、高品位のメータ装置の照明構造を提供できる。
【００１４】
上記（２）に記載のメータ装置の照明構造によれば、出光部の表側の端面が、複数の中間漏光部の表側の端部に対して表側に位置している。従って、より一層高品位のメータ装置の照明構造を提供できる。
【００１５】
上記（３）に記載のメータ装置の照明構造によれば、反射部材の、導光部材の基部側の外周面に対向する表面に、反射率を高める手段を備えている。そのため、導光部材の受光部をそれて基部側の外周面を進行する照明光を、反射部材の表面で反射させることで、導光部材へ入射させることができる。その結果、このような照明光もメータ装置の照明用として利用できるので、その分、照明効率が高まる。
【００１６】
上記（４）に記載のメータ装置の照明構造によれば、導光部材の基部側の外周面に対向するような状態で設けた反射部材にリブを備えている。従って、導光部材の受光部に入射されなかった光源からの照明光をこのリブで反射させることで、導光部材へ入射させて照明用に利用することができる。この結果、照明効率を向上させることができる。
【発明の効果】
【００１７】
本発明のメータ装置の照明構造によれば、中央円盤部材と円環部材との間に、導光性を有し、かつ、表面側の中間部に中間漏光部を等間隔に放射状に有する導光部材を備えている。これにより、導光部材の基部の受光部の端面に対向配置した光源から出射する照明光が、導光部材に入射して内部を案内され、このうちの少なくとも一部が導光途中の中間漏光部から中央円盤部材に向けて出射することができる。また、残りの照明光は、導光部材の内部を案内されて先端側の外周面に沿う端面に設けられた出光部から出射ことができる。そして、この出光部から出射後に円環部材の裏面側に入射して円環部材内部を透過できる。従って、中央部側の中央円盤部材と、これを囲設する円環部材との双方の部材に対して、同じ光源からの光で同時に照明できるので、照明効率を高めることができる。しかも、中間漏光部を等間隔に放射状に設置しているので、輝度むらの発生を抑えることもできる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】図１は、本発明の第１の実施形態に係る照明構造が適用されたスピードメータ装置を示す平面図である。
【図２】図２は、図１におけるＩＩ−ＩＩ線矢視断面図である。
【図３】図３は、本発明の第１の実施形態に係るスピードメータ装置において、導光部材と中央円盤部材とを取り除いたときの状態を示す斜視図である。
【図４】図４は、第１の実施形態に係るスピードメータ装置の導光部材を示す破断斜視図である。
【図５】図５は、第１の実施形態に係るスピードメータ装置における主照明光などの進行光路を拡大して示す光路図である。
【図６】図６は、本発明の第２の実施形態に係る照明構造が適用されたスピードメータ装置において、導光部材と中央円盤部材とを取り除いたときの状態を示す斜視図である。
【図７】図７は、本発明の第２の実施形態に係るスピードータ装置において、補助照明光が進行する典型的な光路を含んだ照明構造を示す断面図である。
【図８】図８は、本発明の第２の実施形態に係るスピードータ装置において、補助照明光の代表的な進行光路を拡大して示す光路図である。
【図９】図９は、本発明の第２の実施形態に係るスピードータ装置において、補助照明光の傍系の進行光路を示す断面図である。
【図１０】図１０は、本発明の第２の実施形態に係るスピードータ装置において、その補助照明光の傍系の進行光路を拡大して示す光路図である。
【図１１】図１１は、従来のメータ装置の照明構造を示す要部断面図である。
【図１２】図１２は、従来の他のメータ装置の照明構造を示す断面図である。
【図１３】図１３は、従来のさらに他のメータ装置の照明構造を示す断面図である。
【発明を実施するための形態】
【００２０】
以下、本発明の実施形態について、添付図面を参照しながら詳細に説明する。
【００２１】
（第１の実施形態）
図１及び図２は、本発明の照明構造が適用された第１の実施形態に係るメータ装置１Ａを示すものである。
このメータ装置１Ａは、自動車用のスピードメータに適用されており、図２に示すように、基板２の上に実装された光源３と、基板２に取り付けられたムーブメント４と、光源３の直上（図２では左方）であって、かつ、ムーブメント４の上部（図２では左方）に設置された、少なくとも一部に反射部材１０を付設したケース５と、このケース５に被せるようにその上部に設置した導光部材６と、文字板を構成する中央円盤部材７と、中央円盤部材７の外周の一部（又は全周）に囲設された円環部材８と、指針９と、反射部材１０と、を備えている。
なお、同図中、符号１１は見返し板、１２はカバーガラス、１３は警告灯を示す。
【００２２】
光源３には、所定の照明光に対応した所定波長（λ）の可視光（これを「照明光」とよぶ）を出射するＬＥＤ（Light Emitting Diode；発光ダイオード）が用いられている。本実施形態の光源３は、図３に示すように、複数個のものが互いに一定間隔を保持した状態で放射状に等間隔に設置されている。これにより、中央円盤部材７と円環部材８とに対してできるだけ均一な発光照明を行うことができるようになっている。なお、図３では、内部構造を分かりやすくするために、導光部材６と中央円盤部材７とを取り外した状態を示している。
【００２３】
この光源３からの照明光は、Ｚ軸方向に沿った光軸となる中央部を最大光量とした分布状態を有しているが、Ｘ−Ｙ面方向についての光量分布には方向依存性のない、均一な出射特性のものが使用されている。即ち、本実施形態の光源３では、Ｘ−Ｙ面の方向に関しては全周に亘り、略均一な光量を出射する光量分布特性を有する。なお、本実施形態の光源３としては、特にこのＬＥＤに限定されるものではないが、消費電力が少なく小型の点光源である点でこのＬＥＤが好ましい。
【００２４】
ムーブメント４は、メータ装置１Ａを搭載する自動車の走行スピードに対応した速度表示を行うため、図示外の速度検出器からの信号に応じた適宜の角度だけ指針９を回動させるものである。このムーブメント４は、図示外の適宜のモータ、例えばステッパモータ、及び図示外の必要な減速機構などが内蔵されており、指針軸４１（図２参照）を介して指針９と一体に接続されている。
【００２５】
ケース５は、指針軸４１を外側から囲設するような状態で基板２の上面（図２では左方）に設置されており、奥部側の背面部分が裏カバー１５Ａで閉じられ、上述の基板２が内部に収容されている。
【００２６】
また、このケース５の一部には、導光部材６の後述する基部６１側の外周面に対向するような状態で、反射部材１０が設けられている。
【００２７】
この反射部材１０は、図５に示すように、導光部材６の受光部６１Ａに入射した照明光のうち該導光部材６の外周面から漏れ出すものについて、その照明光を反射させて再び導光部材６へ入射させる、或いは、導光部材６の受光部６１Ａに入射せずに該導光部材６の外部を伝搬する照明光を反射させて導光部材６へ入射させる。このため、少なくとも導光部材６に対面する表面１０Ａに、反射率を高める適宜手段、例えば鏡面加工などが施されている。なお、この反射部材１０と導光部材６との間は、照明光が進行する障害とならぬようにするため、何も設置されていない空間部Ｓで構成されている。
【００２８】
導光部材６は、図４に示すように、導光性を有する適宜材料で略Ｃ字形状（又はリング形状でもよい）に形成されており、反射部材１０と円環部材８との間で、かつ、中央円盤部材７と円環部材８に対してそれらの裏面側に配置されている。別言すれば、中央円盤部材７と円環部材８よりも光源３寄りに配置されている。この導光部材６は、図４及び図５に示すように、裏面側（図２では右面側）に位置する基部６１と、この基部６１の基端面である受光部６１Ａと、この受光部６１Ａに対して対向配置されている光源３からの照明光が案内される導光部を構成する中間部６６と、先端側、つまり表面側の外周面に設けられた、外形が全体として略Ｃ字状の出光部（以下、Ｃ字状出光部とよぶ）６２と、を備えている。
【００２９】
このような構成の導光部材６では、受光部６１Ａから入射する光源３からの照明光（これを、主照明光とよぶ場合がある）の一部が、表面側のＣ字状出光部６２へ向けて該導光部材６の内部を案内される。そして、Ｃ字状出光部６２から出射する照明光が、Ｃ字状出光部６２に対面する、円環部材８の裏面側に入射して透過するように構成されている。なお、この出光部としては、略Ｃ字状ではなくリング状を有する出光部（リング状出光部）であってもよい。
【００３０】
さらに、本実施形態の導光部材６には、表面側の中間部に、具体的には表面（図２では左面）の一部に、目盛を立体発光させるための中間漏光部６３が複数形成されている。中間漏光部６３は、図４に示すように、互いに等間隔で放射状に突設されている。以下、中間漏光部６３を目盛部と称することがある。
【００３１】
この目盛部６３は、円環部材８に向けて効率的に照明光が出射するＣ字状出光部６２と同様、この目盛部６３からも中央円盤部材７に向けて効率的に照明光が出射するようになっている。なお、本実施形態の目盛部６３は、中央円盤部材７の対応する部位に穿設した細孔７１に嵌挿状態で突出されている。目盛部６３及び細孔７１によって目盛Ｉ自体が構成される。
【００３２】
細孔７１から目盛部６３が突出した目盛Ｉにより、中央円盤部材７から露出した目盛部６３が発光すると、その目盛Ｉは立体的に視認される。このため、メータ装置１Ａの高級化が図られている。また、中間漏光部６３については、効率的に発光させることができればその形状は任意である。
【００３３】
また、導光部材６には、裏面側である背面に周方向に沿って多数の細かい溝から成るセレーションが形成されている。これにより、導光部材６の背面に対して対向配置した各光源３からの照明光ができるだけ均等に分散されて案内される。さらに、この導光部材６には、表面側に微細な凹凸から成るシボ加工（若しくは梨地加工）が施されており、表面側からはできるだけ均等に分散された状態で照明光が出射する。
【００３４】
また、この導光部材６には、導光部材６内部を進行する照明光が外部へできるだけ漏出するのを防止することで導光性を高めるために、図５に示すように、反射面Ｒを複数個所に設けている。即ち、この反射面Ｒは、第１反射面Ｒ１〜第３反射面Ｒ３で構成されており、適宜の反射手段が適用可能である。例えば一例として、これらの反射面の平滑性を高めたミラー加工を施すようにしてもよい。また、積極的な反射対策を施すために適宜の反射膜を成膜するように構成してもよい。
【００３５】
中央円盤部材７は、意匠Ｄ、例えば、数字Ｆ、文字、記号など、車自体或いは車周辺の環境などに関する必要情報を表示したり、必要時に警告灯１３を点灯する。この中央円盤部材７は、例えば円盤状又は半円盤状に形成されている。この中央円盤部材７は、速度表示用の目盛Ｉなどを外表面の外縁部寄りに設けている。
【００３６】
本実施形態の場合、穿設した細孔７１に嵌挿された導光部材６の目盛部６３が目盛Ｉ自体を構成している。この中央円盤部材７は、光源３から出射して導光部材６を導光後に入射してきた照明光により、目盛Ｉが発光照明されるようになっている。
【００３７】
円環部材８は、中央円盤部材７の外周の一部（又は全周）に囲設されたリング状のものであり、導光部材６のＣ字状出光部６２と対向する部分に、指針９が指示する数字Ｆが意匠の一部として記載されている。なお、指針９は、中央円盤部材７の中央から外部に突出するような状態で回転可能に設置されており、上述の円環部材８の数字Ｆのほかに、中央円盤部材７に突設された導光部材６の目盛Ｉを指示する。
【００３８】
なお、本実施形態のメータ装置１Ａは、コンビネーションメータの一部を構成しており、表面側の速度表示用の数字Ｆが記載された円環部材８は、見返板１１で覆われている。また、この見返板１１には、メータ装置１Ａを含む図示外の各種計器類を設置するための各種表示窓を開口させている。更に、この見返板１１は、透明系或いは黒色系などの半透明なカバーガラス１２で開口が覆われている。
【００３９】
なお、本実施形態のメータ装置１Ａは、上述したように、速度計を構成している。この速度計は、図示しないセンサによって検出された速度に対応したセンサ信号に基づき、ムーブメント４内のステッパモータが指針９の指針軸４１を所定角度だけ回動させ、円環部材８の数字Ｆ又は中央円盤部材７の目盛Ｉを指し示す。
【００４０】
次に、本実施形態の作用について、主に図２、図４、図５を参照しながら説明する。なお、ここでのメータ装置１Ａの説明は、各計器類のうち速度計を例に挙げてその作用を説明するが、特にこれに限定されるものではない。また、この作用については、他のアナログタイプのメータ装置の場合でも同様である。
【００４１】
メータ装置１Ａのムーブメント４の内部に設けたモータが、図示しない速度センサによって検出された現在速度に対応するセンサ信号に基づいて回転駆動する。そして、これに一体に接続されている指針９が所定角度だけ回動し、円環部材８に形成された意匠Ｄである特定の数字Ｆ又は中央円盤部材７に嵌挿状態で突設された導光部材６の目盛Ｉを指示する。
【００４２】
即ち、モータ側の出力軸及びこれと一体の指針軸４１が所定の角速度で回転を始め、指針軸４１を取り付けた指針９が所定角度だけ回動され、指針９の先で円環部材８上の特定の数字Ｆ又は中央円盤部材７上の目盛Ｉを指し示す。これによって、現在速度を運転者などにアナログ表示させて知らせることができる。
【００４３】
このような速度表示を行うメータ装置１Ａにあっては、同時に、図に示す光源３から照明光が導光部材６の受光部６１Ａに向けて出射する。この場合、光源３から出射の照明光は光軸を最大光量とする光量分布である。従って、光軸（Ｚ）に沿って平行状態で受光部６１Ａに入射した大部分の照明光、つまり主照明光αは、図５に示すようにその大部分が、図４に示す全体略Ｃ字形状を呈する導光部材６を表面まで透過した後、表面から出射する。この出射の際の主照明光は、導光部材６に形成されたセレーションやシボ加工により、概して、均一化された出射特性を有する。
【００４４】
次に、本実施形態の照明光について、図５に示す光路図を参照しながら、さらに詳細に説明する。
光源３から出射して受光部６１Ａに入射する主照明光のうち特に視認者の正面方向に倣った光軸が設定されているＺ軸方向に平行な主光路に沿った照明光αは、導光部材６の受光部６１Ａに垂直入射する。これにより、受光部６１Ａにおいて外界との界面でのフレネル反射が効果的に抑えられて、殆どのものがそのまま内部を進行し、その照明光αの大部分が反射面Ｒ１，Ｒ２で反射されながら、Ｃ字状出光部６２に達することができる。
【００４５】
このＣ字状出光部６２に達する照明光αは、後述の照明光βと同様、Ｃ字状出光部６２から外部に出射すると、その大部分が円環部材８の、Ｃ字状出光部６２に対面する裏面側から円環部材８内部に入射後、表面から外部へ向けて出射する。これにより、円環部材８に形成された意匠Ｄの一部である速度表示用の数字Ｆを照明することができる。
【００４６】
一方、光源３から出射する照明光のうち主光路から外れた外側を進行して導光部材６の受光部６１Ａに斜入射する照明光βは、その一部が受光部６１Ａにおいて外界との界面でのフレネル反射を起こしながら、大部分が導光部材６の受光部６１Ａの内部に進行する。そして、この照明光βについても、反射面Ｒ１，Ｒ２，Ｒ３で反射されながら、Ｃ字状出光部６２に達することができる。
【００４７】
なお、これらの照明光α、βの一部は、導光部材６の中間部６６の表面側に形成されている目盛部６３に進行し、そのままこの目盛部６３から外部へ出射することにより、目盛Ｉの照明も効果的に行われる。特に、この場合の目盛Ｉの照明については、立体的な視認効果が得られる。また、指針９に対する照明については、別に専用の光源を設けてもよいが、本実施形態の照明構造によれば、光源３からの照明光α、βの一部を指針９へ入射させることができる。
【００４８】
さらに、光源３から出射する照明光のうち主光路から外れた導光部材６の受光部６１Ａに入射する照明光βは、その一部が導光部材６の反射面Ｒ２から外部の空間部Ｓへ出射する場合もある。そこで、本実施形態では、反射部材１０の表面１０Ａに反射率を高める手段を形成しており、反射面Ｒ２から外部へ出射する照明光βが、表面１０Ａで反射して再び導光部材６へ入射させることができる。このような反射部材１０の表面１０Ａでの反射による導光部材６への再入射については、主照明光αについても同様である。
【００４９】
従って、本実施形態の照明構造を有するメータ装置１Ａによれば、導光部材６を設けることで、目盛Ｉと速度表示用の数字Ｆとを別々に専用の光源を設置して照明することが必要なくなり、組立性の向上とともにコストの削減を図ることができる。
また、本実施形態の照明構造を有するメータ装置１Ａによれば、反射率を高める手段を設けた表面１０Ａを有する反射部材１０を設置することで、光源３からの照明光が導光部材６の反射面Ｒ２から漏出しても、再入射させることができ、その分、照明光の利用効率を高めることができる。
【００５０】
（第２の実施形態）
次に、本発明に係る照明構造が適用された第２の実施形態に係るメータ装置１Ｂについて、添付図面を参照しながら詳細に説明する。
図６及び図７は、本発明の第２の実施形態に係るメータ装置１Ｂを示すものであり、このメータ装置１Ｂが第１の実施形態のメータ装置１Ａと異なる点は、反射部材２０に起立した状態のリブ２１を付設していることである。
【００５１】
反射部材２０は、導光部材６の基部６１の外周面のうち、中央円盤部材７の中央部に対面する内側外周面６１Ｂ（図８参照）とは反対側の外側外周面６１Ｃ（図８参照）と対向する部分に、上述の起立した状態のリブ２１を複数有している（図６参照）。このリブ２１により、光源３から導光部材６の受光部６１Ａに入射した主照明光とは別に、受光部６１Ａに入射せずにその外側へそれて基部６１の外側外周面６１Ｃの近傍を通過する照明光γ１、γ２（これを、補助照明光とよぶ場合がある）をリブ２１で反射させている。これにより、リブ２１で反射後の補助照明光γ１、γ２を導光部材６へ効率的に入射させることで、できる限り多くの照明光を有効利用できるようになっている。
【００５２】
リブ２１の配置については、図６に示すように、等間隔に点在させた状態で放射状に配列させてあるが、この配置については、目盛Ｉを構成する突起状の目盛部６３に対応する位置に配置させてもよい。このような配置にすれば、目盛部６３に効果的に照明光を集光させることが可能となり、より高輝度の様態で目盛Ｉを発光照明でき、同時に目盛Ｉでの輝度むらの発生を抑制することもできる。
【００５３】
また、円環部材８に形成された意匠Ｄの一部である速度表示用の数字Ｆを高輝度で照明する場合には、その数字Ｆに対応する位置にリブ２１を設ければよい。
【００５４】
なお、このリブ２１の形状については、特に本実施形態のようなものに限定されるものではない。例えば、中央円盤部材７の中央方向に向けて凹状に湾曲させるようにして照明光を中央方向に収斂させたり、逆に中央方向に向けて凸状に形成することで照明光を、均等に外方へ発散させるようにしてもよい。
【００５５】
また、本実施形態のリブ２１は、厚さが薄く、かつ、指針９に対面する表面の形状が略矩形状を有しており、互いに等間隔に形成されている。なお、本発明では、このリブ２１の横幅寸法Ｗ（図６参照）を変更し、隣り合うリブ２１との配列間隔の距離Ｌを調整することで、照明輝度の調整することも可能である。
【００５６】
次に、本実施形態の照明光について、図８及び図１０に示す光路図を参照しながら説明する。
なお、本実施形態でも、主光路を通過する際の照明光については、第１の実施形態において説明した主照明光αと同様に同方向に進行し、同様の作用を生じるものである。しかしながら、ここでは、本実施形態のリブ２１の機能のみについて説明する都合上、受光部６１Ａに入射されずにそれて主光路をそれた外側光路を進行する補助照明光γ１、γ２、δ１、δ２についてのみ説明する。
【００５７】
そこで、ここでは、主光路から外れた補助照明光がたどる外側光路の進路について、（ｉ）導光部材６に入射して照明光（準照明光）γ１、γ２がそのまま案内されていく場合（図７及び図８）と、（ｉｉ）導光部材６に入射しても照明光（傍系照明光）δ１、δ２が導光部材６で案内されずに内部を直進してそのまま横断していく場合（図９及び図１０）と、に分けて説明する。
【００５８】
なお、これらの光路を進行する補助照明光については、勿論それだけ単独のものであるわけではない。つまり、実際には、その他の光路（例えば主光路）を進行してきた主照明光と干渉することもあり、その場合には合算された光量のものが導光部材６内部を案内されていくわけである。
【００５９】
（ｉ）の場合：
図７及び図８に示すように、主光路から外れ外側光路を進行する照明光のうち基部６１の外側外周面６１Ｃ近傍を進行する補助照明光のうち、例えば準照明光γ１、γ２については、その多くをリブ２１で反射後に導光部材６へ効率的に入射させることができる。また、導光部材６へ入射後の多くものが、導光部材６の内部で反射しながらＣ字状出光部６２又はその近傍から外部へ出射していく。
【００６０】
Ｃ字状出光部６２から出射する準照明光のうち例えば照明光γ２については、裏面から円環部材８に入射後、表面から外部へ向けて出射する。これにより、円環部材８に形成された意匠Ｄの一部である速度表示用の数字Ｆを照明することができる。
【００６１】
なお、これらの照明光γ１、γ２の一部は、導光部材６の中間部６６の表面側に形成されている目盛部６３に進行し、そのままこの目盛部６３から外部へ出射することにより、目盛Ｉの照明も効果的に行われる。特に、この場合の目盛Ｉの照明については、立体的な視認効果が得られる。
【００６２】
（ｉｉ）の場合：
図９及び図１０に示すように、主光路から外れた外側を進行する補助照明光のうち基部６１の外側外周面６１Ｃ近傍を進行する補助照明光の一部のもの、例えば傍系照明光δ１、δ２は、リブ２１で反射後に導光部材６へ入射し、そのまま横断して外部へ出射する。これにより、中央円盤部材７を裏面側から照明できるが、この中央円盤部材７を通過した傍系照明光の一部のものは指針９へ入射することもできる。
【００６３】
従って、本実施形態の照明構造を有するメータ装置１Ｂでも、第１の実施形態と同様、導光部材６を設けることで、目盛Ｉと速度表示用の数字Ｆとを別々に専用の光源を設置して照明することが必要なくなり、組立性の向上とともにコストの削減を図ることができる。
【００６４】
また、本実施形態の照明構造を有するメータ装置１Ｂによれば、反射部材２０を設置することで、光源３からの照明光が導光部材６の反射面Ｒ２から漏出しても、再入射させることができ、その分、照明光の利用効率を高めることができる。
【００６５】
さらに、本実施形態の照明構造を有するメータ装置１Ｂによれば、反射部材２０に付設したリブ２１により、主光路から外れた外側を進行する照明光のうち基部６１の外側外周面６１Ｃから漏れ出す照明光も中央円盤部材７や円環部材８に対して効果的に利用でき、照明効率が一層高まる。
【００６６】
なお、本発明は上述した実施形態に何ら限定されるものではなく、その要旨を逸脱しない範囲において種々の形態で実施し得るものである。
【００６７】
また、本発明の照明構造が適用されたメータ装置としては、例えば本実施形態のスピードメータ部の他に、例えば、タコメータ部、燃料計部、及び水温計等の各種計器類への適用が可能であり、特に大型メータ、即ち、指針が大きな角度範囲に亘って回動するようなタイプのものでも効果的な照明を図ることで輝度むらの発生を抑えることが可能となるので、便宜である。
【符号の説明】
【００６８】
１Ａ、１Ｂ  メータ装置
２  基板
２１  リブ
３  光源
４  ムーブメント
４１  指針軸
５  ケース
６  導光部材
６１  基部
６１Ａ  受光部
６１Ｂ  内側外周面
６１Ｃ  外側外周面
６２  出光部（Ｃ字状出光部；リング状出光部）
６３  目盛部（中間漏光部）
７  中央円盤部材
７１  細孔
８  円環部材
９  指針
１０、２０  反射部材
１０Ａ  表面
１１  見返し板
１２  カバーガラス
１３  警告表示部
１５Ａ  裏カバー
２１  リブ
Ｄ  意匠
Ｆ  数字
Ｉ  目盛
Ｒ  反射面
Ｒ１〜Ｒ３  第１反射面〜第３反射面
Ｓ  空間部
α  主光路に沿った主照明光
β  受光部に斜入射する照明光
γ１、γ２  補助照明光
δ１、δ２  補助照明光（傍系照明光）
【図１】
0005975696.tif 000002
【図２】
0005975696.tif 000003
【図３】
0005975696.tif 000004
【図４】
0005975696.tif 000005
【図５】
0005975696.tif 000006
【図６】
0005975696.tif 000007
【図７】
0005975696.tif 000008
【図８】
0005975696.tif 000009
【図９】
0005975696.tif 000010
【図１０】
0005975696.tif 000011
【図１１】
0005975696.tif 000012
【図１２】
0005975696.tif 000013
【図１３】
0005975696.tif 000014